(57)【特許請求の範囲】
【請求項１】
雄部材を雌部材内で係合して抜け止めし、該係合を前記雌部材に設けられた開口に露出した操作部の押し操作により解除するバックルにおいて、
前記操作部と共に前記雄部材の挿入側と係脱する係合部を有し、前記雌部材内に揺動可能に設けられて前記係合する方向へ付勢されているストッパー手段と、
前記ストッパー手段もしくは前記雄部材の何れか一方に設けられて、前記操作部を押し操作することにより撓んで雄部材の抜け方向のバネ力を蓄える弾性手段とを備え、
前記弾性手段が前記操作部の係合解除方向の押圧によりバネ力を蓄えた後、前記係合が解除されることを特徴としたバックル。
【請求項２】
前記雌部材は偏平ケース状をなし、該ケース状の片側面に前記開口を有している請求項１に記載のバックル。
【請求項３】
前記弾性手段は、前記ストッパー手段と前記雄部材との対向部分のうち、何れか一方側に対し、溝部を介し設けられると共に、前記雄部材の抜け方向とほぼ一致する方向に前記バネ力を蓄える弾性当接部分からなる請求項１又は２に記載のバックル。
【請求項４】
前記雄部材は前記雌部材の内部に挿入されない外板部と前記雌部材の内部に挿入される挿入板部とからなると共に、前記弾性当接部分は前記挿入板部に設けられて前記溝部の存在により弾性変形可能になっている請求項３に記載のバックル。
【請求項５】
前記ストッパー手段は、前記雄部材の挿入側を受け入れ可能な略ケース状をなし、該ケース状の内側に設けられた前記係合部と、該ケース状の一方側にて形成している前記操作部と、該ケース状の他方側の外へ突出された弾性翼片とを有し、前記雄部材を雌部材内で係合した状態から、前記操作部の押し操作により前記弾性翼片の弾性変形を伴って前記係合を解除する請求項１から４の何れかに記載のバックル。
【請求項６】
前記雄部材及び雌部材並びにストッパー手段を形成している部材の３点から構成されている請求項１から５の何れかに記載のバックル。
【発明の詳細な説明】
【０００１】
【発明の属する技術分野】
本発明は、例えば、部材同士を着脱可能に連結する場合に好適なバックルに関するものである。
【０００２】
【従来の技術】
この種のバックルは、図１１と図１２に示される如く雄部材５０，６０を雌部材５５，６５内で係合して抜け止めし、該係合を雌部材５５，６５の開口５６，６６に露出した操作部５１，６１の押し操作により解除するものである。係合構造において、図１１の場合は、雄部材５０の挿入側に設けられた平板状操作部５１と、操作部５１の一部を利用して設けられた係合段差部５２とを有し、係合段差５２が雌部材５５に対する雄部材５０の挿入操作により開口５６の対応する係合部分５７と係合する。図１２の場合は、雄部材６０の挿入側に設けられたアーム状操作部６１と、操作部６１の一部を利用して設けられた係合突起６２とを有し、係合突起６２が雌部材６５に対する雄部材６０の挿入操作により開口６６の対応する係合部分６７と係合する。なお、図１１（ｂ）は（ａ）のＨ−Ｈ線断面図である。
【０００３】
また、バックル形態は、従来バックルを係合解除操作の観点から捉えると、図１１（ａ），（ｂ）の如く開口５６が雌部材５５の上面側に設けられ、操作部５１が開口５６に配置されて使用状態から同図の矢印方向に押して係合を解除するタイプ（以下、フロントリリースタイプという）と、図１２の如く開口６６が雌部材６５の側面に設けられ、操作部６１が開口６６に配置されて使用状態から同図の矢印方向に押して係合を解除するタイプ（以下、サイドリリースタイプ）とに大別される。
【０００４】
【発明が解決しようとする課題】
以上の従来バックルは、開閉部の着脱手段等として、身回り用品からケース類や袋体など多くの分野で利用され重宝されている。ところが、従来品では、例えば、ウエストポーチや洋服などに適用して図１１（ａ）や図１２の使用態様となると次のような不具合があった。図１１のフロントリリースタイプでは、係合解除操作において、操作部５１を前方から後方へ押すが、その押し力が人の体の沈みにより吸収され易く、係合解除を安定して行えない。この点、図１２のサイドリリースタイプでは、係合解除操作においての操作部６１の押し方向が人の体に沿う状態となるため安定した係合解除を行える。ところが、このサイドリリースタイプでは、同図の矢印の如く対の操作部６１を両側から同時に押し操作しなければならず、指が怪我したり麻痺していると、正常に係合解除操作できないことも起きる。しかも、この種のバックルは、例えば、不使用には雄・雌部材を係合しておき、使用する際に該係合を一旦解除操作し、使用態様に配置された後、再び係合操作される。不使用状態において、前記係合を解除する場合は、雄・雌部材が離れる方向に張力（引き力）を受けていないことから、前記係合が操作部の押し操作により一度解除したとしても、雄・雌部材に離れる方向の引き力を作用しない限り、再び係合状態となってしまう。
【０００５】
本発明の目的は、上記課題に対し、例えば１本の指により係合解除操作可能ににしたり、該係合解除の押し操作のみで雄・雌部材を離間可能にしたり、同時に部材数及び構造上の簡易化も容易にして、商品価値をより向上することにある。
【０００６】
【課題を解決するための手段】
上記目的を達成するため本発明は、図１〜図１０に例示される如く、雄部材３を雌部材２内で係合して抜け止めし、該係合を前記雌部材２に設けられた開口２１に露出した操作部４７の押し操作により解除するバックルにおいて、前記操作部４７と共に前記雄部材３の挿入側と係脱する係合部４４を有し、前記雌部材２内に揺動可能に設けられて前記係合する方向へ付勢されているストッパー手段４と、前記ストッパー手段４もしくは前記雄部材３の何れか一方に設けられて、前記操作部４７を押し操作することにより撓んで雄部材３の抜け方向のバネ力を蓄える弾性手段３７又は３９とを備え、前記弾性手段３７が前記操作部４７の係合解除方向の押圧によりバネ力を蓄えた後、前記係合が解除されるようにしたものである。
以上のバックルにおいて、連結操作は、雄部材３を雌部材２内に挿入したり雄・雌部材３，２を互いに近づけ密着することにより、雄部材３の挿入側とストッパー手段４の係合部４４とが係合して連結される。この連結状態は、操作部４７を押し操作すると、前記弾性手段３７又は３９が操作部４７の押圧に伴って弾性的に撓んでバネ力を蓄えた後、前記係合が解除される。そして、係合解除時には、弾性手段３７又は３９に蓄えられたバネ力が雄部材３の抜け力として作用しているため、雄部材３がその蓄えられたバネ力により係合位置から抜け方向へ移動される。従って、このバックル構造では、従来バックルの様に前記係合を単に解除しただけでは再び係合してしまうことをなくし、該係合を解除すると同時に両部材２，３を離れる方向に引っ張るという厄介な操作を不要にできる。しかも、この弾性手段３７又は３９は、雄部材３の抜け方向のバネ力が操作部４７を押し操作したときに初めて蓄える、つまり雄・雌部材２，３の連結状態及び連結解除状態ではバネ力が発現されていないため、設計バネ力を長期に維持できる利点がある。
【０００７】
以上の本発明は以下のように具体化されることがより好ましい。
第１に、前記雌部材２は偏平ケース状をなし、該ケース状の片側面２０ｅに前記開口２１を有していることである。この構造では、請求項１の発明において、図１１のバックル１で述べたような使い勝手上の問題がなく、図１２のバックルに対し１本の指で係合を解除できるため特に幼児、老人、手や指を怪我している人にとって使い勝手を向上できる。
第２に、前記弾性手段３７又は３９は、前記ストッパー手段４と前記雄部材３との対向部分のうち、何れか一方側に対し、溝部３６又は３８を介して設けられ、前記雄部材３の抜け方向とほぼ一致する方向に前記バネ力を蓄える弾性当接部分３７ａ又は３９ａから構成することである。これは、弾性手段３７又は３９がストッパー手段４又は雄部材３に一体に形成されることから、本発明を簡易に実現可能にすると同時に、弾性当接部分３７ａ又は３９ａのバネ力が雄部材３の抜け方向に専ら作用できるようにしたことに意義がある。
第３に、前記雄部材３は前記雌部材の内部に挿入されない外板部３０と前記雌部材の内部に挿入される挿入板部３１とからなると共に、前記弾性当接部分３７ａ又は３９ａは前記挿入板部３１に設けられて前記溝部３６又は３８の存在により弾性変形可能にすることである。すなわち、図５（ａ）の弾性当接部分３７ａでは雄部材３の挿入板部３１の途中の段差端面３７ｂ（図１参照）を利用する。図５（ｄ）の弾性当接部分３９ａでは雄部材３の挿入板部３１の挿入端縁自体を利用する。これら構造では、弾性当接部分３７ａ又は３９ａが雄部材３の挿入板部３１に付設することで面積的に広く確保容易にしたり、ここに当たるストッパー手段４側の対応する当接部を確保し易くして設計の自由度が得られるようにする。
第４に、前記ストッパー手段４は、前記雄部材３の挿入側を受け入れ可能な略ケース状をなし、該ケース状の内側に設けられた前記係合部４４と、該ケース状の一方側にて形成している前記操作部４７と、該ケース状の他方側の外へ突出された弾性翼片４１とを有し、前記雄部材３を雌部材２内で係合した状態から、前記操作部４７の押し操作により前記弾性翼片４１の弾性変形を伴って前記係合を解除するものである。これは、弾性手段３７又は３９を付設する場合に必要となる雄部材３側との対向部分をケース状の対応縁部側で広く確保容易にし、かつ、バックル機能として最重要な係合部４４が雌部材２の内部のうち、ストッパー手段４のケース状内というより限られた空間に位置させて雌部材２内に入る塵等の影響を受け難くしたことに意義がある。
第５に、雄部材３及び雌部材２並びにストッパー手段４を形成している部材の３点から構成されている構成である。これは、特に、ストッパー手段４が雌部材３に対し取付部材を用いずそれ自体で付設されることを特定し、上記各利点を最小部材数で具備できるようにしたことに意義がある。
【０００８】
【発明の実施の形態】
以下、本発明の好適な形態を添付図面に基づいて説明する。図１はバックル構成部材同士の関係を示す外観図である。図２は前記バックルを各方向から見た図であり、（ａ）は上面図、（ｂ）はその右端面図、（ｃ）はその左端面図、（ｄ）はその下面図、（ｅ）はその一方側面図、（ｆ）はそのもう他方の側面図である。図３及び図４は雌部材単品図である。そのうち、図３（ａ）は上面図、図３（ｂ）は左端面図、図３（ｃ）は同（ａ）のＢ−Ｂ線断面図、図３（ｄ）は右端面図、図４（ａ）は図３（ａ）のＣ−Ｃ線断面図、図４（ｂ）は図３（ｄ）のＤ−Ｄ線断面図である。図５は雄部材単品を示し、（ａ）は上から見た上面図、（ｂ）はその右端から見た図、（ｃ）は（ａ）のＥ−Ｅ線断面図である。図５（ｄ）は雄部材の変形例を同（ａ）に対応して示す図である。図６は本発明のストッパー手段を形成している部材の単品図である。そのうち、（ｂ）は上面図、（ａ）はその左端から見た図、図３（ｃ）はその片方の側面図、（ｄ）は（ａ）のＦ−Ｆ線断面図である。図６（ｄ）はストッパー手段の変形例を同（ｂ）に対応して示す図である。図７はバックルに紐を組み付けた状態を上から見た上面図である。図８は図７のＧ−Ｇ線断面図であり、（ａ）と（ｂ）と（ｃ）は紐の取付方法として３例を示している。図９と図１０はバックル作動を図２（ｆ）のＡ−Ａ線断面の状態で示している。
【０００９】
図に示すバックル１は、雌部材２及び雄部材３と、雌部材２内に組み込まれるストッパー部材４からなり、何れもが樹脂成形品である。ストッパー部材４は、本発明のストッパー手段に相当している。そして、形態例の構造特徴は、サイドリリースタイプであると共に片側サイドリリースにしたこと、雄部材３を雌部材２に組み込んだストッパー部材４を介し係合抜け止めすること、該係合を解除する押し操作によって撓んで雄部材３の抜け方向のバネ力を蓄える弾性手段３７又は３９を有していること等にある。以下の説明では、３つの部材２，３，４を組立要領と共に明らかにし、その後、要部作動に言及する。
【００１０】
（雌部材）ここでは図１と図３及び図４を主にして説明を行う。雌部材２は、概略的な外輪郭が上下面２０ａ，２０ｂと、左右方向の各端面２０ｃ，２０ｄと、前後の側面２０ｅ，２０ｆと、側面２０ｅの開口２１等とから形成され、偏平ケース状をなしている。開口２１は、側面２０ｅの一部から上面２０ａ及び下面２０ｂの対応部分に連続し開設さている。開口２１のうち、上面２０ａ側に延びる部分は下面２０ｂのそれより大きく設定されている。上面２０ａには開口２１の対応縁部が滑らかなテーパー面２１ａに形成されている。下面２０ｂには、図４（ａ）の如く貫通された紐通し穴２８が端面２０ｄ側に設けられている。各端面２０ｃ，２０ｄは内部２２に通じる開口縁取り部分となっている。
【００１１】
内部２２には、図４に示される如く遮蔽壁２３及び補強リブ２４と、上下面２０ａ，２０ｂの対向内面にそれぞれ設けられたガイド溝２５，２６や軸穴２７を有している。このうち、遮蔽壁２３は、端面２０ｄ側に位置して対応箇所、つまり上下面２０ａ，２０ｂ及び対応する側面２０ｅ，２０ｆと接合した状態で設けられている。各遮蔽壁２３は、間が少し離れていて、その隙間の存在により対応外側と内部２２とを連通している。補強リブ２４は、各遮蔽壁２３の外側に突出されて、図４（ａ）や図３（ｄ）の如く補強と共に特有な外観付与機能も合わせ持つよう工夫されている。これに対し、ガイド溝２５は、後述するストッパー部材４を組み込むときに利用されるもので、上下面２０ａ，２０ｂの対向内面の略中間左右方向に設けられ、図４（ｂ）の如く端面２０ｃ側から遮蔽壁２３に対応する手前、厳格には軸穴２７まで延びている。ガイド溝２６は、後述する雄部材３の摺動をガイドするもので、ガイド溝２５の片側に位置し該溝２５よりも少し深溝となっていて、端面２０ｃ側から内部２２の約１／３程度まで延びている。軸穴２７は、ストッパー部材４を枢支する穴であり、上面２０ａの内面側が凹状２７ａに形成され、下面２０ｂ側が貫通孔２７ｂとして形成されている。
【００１２】
（雄部材）ここでは図１と図５を主にして説明を行う。雄部材３は、全体が略偏平板状をなし、雌部材２の内部２２に挿入できない外板部３０と、内部２２に出し入れされる挿入板部３１とからなる。このうち、外板部３０は、挿入板部３１が雌部材２内に挿入された状態で、該外周が雌部材２の外周面と略連続するよう形成されている。また、外板部３０の内側には、図５（ｃ）と図８に示される如く紐５等が迂回されて取付可能な構成になっている。その構造として、ここでは外板部３０の肉厚に外端面から奥へ行き、そこから下外側に連通した通し穴３０ａを設けると共に、該通し穴３０ａの一部に掛け止め部３０ｂを付設している。但し、これ自体は適宜に変更可能である。
【００１３】
挿入板部３１は、外板部３０に連結した挿入基部３２と、挿入基部３２の前側に位置した挿入先端部３３とからなる。挿入基部３２は外板部３０に連結して外板部３０より少し板厚を薄く形成され、摺動突起３２ａ及び弾性手段３７とを有している。挿入先端部３３は、挿入基部３２より更に少し板厚を薄く形成されると共に先に行くほど板幅を細くした部分３４及び、該部分３４の先端に設けられた係合部３５を有している。
【００１４】
まず、挿入先端部３３において、部分３４は先端側行くにしたがって幅細に形成されている。これはこの部分３４が後述するストッパー部材４の小ケース内へ挿入されるため、該挿入性を考慮したものである。係合部３５は、雄部材３の長手方向と交差するフック爪として形成されている。
【００１５】
挿入基部３２において、摺動突起３２ａは、前記したガイド溝２６に対応した箇所に該溝２６と嵌合自在になるよう設けられ、雄部材３が雌部材２の内部２２に差し込まれたり、引き抜かれる際にガイド溝２６に沿って良好に摺動されるよう作用する。これに対し、弾性手段３７は、挿入基部３２の板幅略中間箇所に付設され、溝部３６の間に区画された弾性当接部分３７ａにより実現されている。すなわち、この弾性当接部分３７ａは、挿入基部３２の前縁にあって、挿入基部３２側に設けられた溝部３６ａと、一段低くなった挿入先端部３３側の境界部分に設けられた溝部３６ｂとの間に位置している。各溝部３６ａ、３６ｂは板上下に貫通されて、かつ、後側（雄部材３の外板部３０側）の溝部３６ａの方が挿入先端部３３側の溝部３６ｂよりも多少溝幅を大に形成されている。そして、弾性当接部分３７ａは、後述するストッパー部材４が係合解除過程で弾性当接部分３７ａの段差端面３７ｂ（図１参照）に圧接しつつ、雄部材３の抜け方向である溝部３６ａ側に撓んでパネ力を蓄えることができる。
【００１６】
（変形例）図５（ｄ）の雄部材３は、上記した雄部材３の弾性手段３７の構成を変えた例である。従って、以下の説明では、上記した形態例と同じ部位に同じ符号を付し、変更点についてだけ述べる。変形した弾性手段３９は、挿入基部３２よりも一段落ち込んだ（板厚を薄くした）挿入先端部３３の片側縁部に沿って付設され、外側と溝部３８（板上下を貫通した溝部３８）との間に区画された弾性当接部分３９ａにより実現されている。すなわち、この弾性当接部分３９ａは、挿入先端部３３のうち、係合部３５を形成している側と反対側の側縁部にあって、溝部３８が挿入基部３２側に一部入り込んだ位置から、板前中間よりに傾斜した状態に設けることにより、後述するストッパー部材４が係合解除過程で弾性当接部分３９ａの外面３９ｂに圧接しつつ、雄部材３の抜け方向である溝部３８側に撓んでパネ力を蓄えることができる。
以上の各弾性手段３７，３９又は弾性当接部分３７ａ，３９ａは、ストッパー手段４と雄部材３との対向部分のうち、何れか一方側に対し、１以上の溝部３６又は３８等を介して設けられること、ストッパー部材４の係合解除過程において雄部材３の抜け方向とほぼ一致する方向にバネ力を蓄えること、の要件を充足できればそれら形態例以外であってもよいものである。
【００１７】
（ストッパー手段）ここでは図１と図６を主にして説明を行う。ストッパー部材４は、雄部材３の挿入側を受け入れ可能な略偏平小ケース状をなし、内側に設けられた係合部４４と、小ケース状の一方側を利用して形成している操作部４７と、操作部４７と反対側のケース外面に突出された弾性翼片４１等とを一体に備え、全体が雌部材２の内部２２に揺動自在に組み込まれる。なお、この外輪郭は、小ケース状部が上下面４０ａ，４０ｂと、左右方向の各端面４０ｃ，４０ｄと、前後の側面４０ｅ，４０ｆとで形成され、該小ケース状部が側面４０ｆに突設された弾性翼片４１及び側面４１ａ，４０ｂに突出した軸部４６等を持つ形態となっている。また、このストッパー部材４では、雄部材３の弾性当接部分３７ａと対向配置され、係合解除過程で該弾性当接部分３７ａを押してバネ力を発現するための当接部４８を有している。この当接部４８は、図６（ｂ）の如く小ケース状の端面４０ｃ側の形状として、同図の最左側付近の部分を多少鋭角に形成したものである。
【００１８】
すなわち、小ケース状部の内部４２には、区画壁４３及び係合部４４が付設されている。区画壁４３は、図１と図６（ｄ）の如く上下面４０ａ，４０ｂに結合して左右方向へ延びている。そして、内部４２には、区画壁４３と側面４０ｆとの間の空間に前記した雄部材３の挿入先端部３３が挿入可能になっている（図９参照）。係合部４４は、前記係合部３５と係脱可能に係合する相手側となるものである。この係合部４４は、上下面４０ａ，４０ｂに結合しかつ側面４０ｆの内側近くに位置し、側面４０ｆの側から対向する側面４０ｅに向けたフック状爪として形成されている。
【００１９】
ここで、弾性翼片４１は薄肉板部分となっていて、側面４０ｆにあって、基端が軸部４６側に位置し、先端が側面４０ｆから次第に離れるよう傾斜している。作用的には、雌部材２に組み付けられた状態（図９参照）で、ストッパー部材４を一方向へ押してがたつきを吸収すること、雄部材３の係合部３５が係合部４４に係合した状態を保ち、かつ、該係合又は係合解除過程で弾性変位して該係合や係合解除を許容すること等にある。軸部４６は、上記した軸穴２７（２７ａ，２７ｂ）に嵌合されるよう上下面４０ａ，４０ｂに突設され、側面４０ｆの側にあって、弾性翼片４１の基部付近に位置している。軸部４６の詳細は図１の如く筒部４６ａの一部が切欠部４６ｂとして形成されている。この軸構成は、ストッパー手段４が雌部材２に対し端面２０ｃ側から挿入されるとき、軸部４６が上記した対応するガイド溝２５に沿って押し込められて軸穴２７と嵌合、つまり組み付け容易にするためである。そのようにして、以上のストッパー部材４は、雌部材２の内部２２に対し軸部４６と軸穴２７との嵌合を介して揺動可能に組み付けられる。操作部４７は、そのようにしてストッパー部材４が内部２２に組立てられたとき、雌部材２の開口２１に露出配置される部分である。なお、操作部４７の外面には、該開口２１から露出される外面に複数の小リブ４７ａが形成されている。小リブ４７ａは、操作部４７の押し操作性を向上するだけではなく、外観の斬新性を寄与する上でも有効となるよう設計されている。なお、符号４５は後述する図９（ｃ）の状態で、遮蔽壁２３の対応部に当たる回動又は揺動規制部である。
【００２０】
（変形例）図６（ｄ）に示した変形例のストッパー部材４は、上記した図５（ｄ）に挙げた変形例の雄部材３と組として用いられるものである。この説明でも、上記した形態例と同じ部位に同じ符号を付し、変更点についてだけ述べる。
図６（ｄ）のストッパー部材４は、上記した図６（ｂ）の当接部４８に対応する部分４９が丸みを帯びている点で異なっている。これは、変形例の場合、図１０に示す如く小ケース状部を形成している側面４０ｅが雄部材３の弾性当接部分３９ａと対向配置され、係合解除過程で該側面４０ｅの揺動端側により該弾性当接部分３９ａを押し当該部分３９ａにバネ力を発現することができるからである。
【００２１】
（他の関係部材）以上のバックル１は、従来バックルと同じく色々な用途又は分野に利用される。図７及び図８は実際に用いられるときに、紐５の端部５ａをバックル対応部つまり、雌部材２及び雄部材３にそれぞれ取り付けるための取付構成例を示している。ここでの紐５はベルトや帯等を含む広義なものである。紐５及び端部５ａとしては、図面上、左右共に同じ符号を付し、あたかも連続した紐であったり、紐の両端５ａのように図示した。しかし、これは、あくまでも便宜上模式化され、左右の紐５が同じ紐として構成される態様（このときは端部５ａが該紐の両端となる）と、左右の紐５が異なる紐として構成される態様（このときは各紐の一端が固定され、各紐の自由端が図面上の対応する端部５ａとなる）等を含めて図示したものに過ぎない。
【００２２】
図８において、雌部材２に対する紐５の端部５ａの取付構造は共通している。この場合には、対応する端部５ａが下面２０ｂの通し穴２８に挿通し、同図の部分２９ａを内側に入れるように迂回させ、その迂回した部分を縫製６により同紐部分に重合したものである。図８の各図では、雄部材３に対する端部５ａの取付構造をそれぞれ異なっている。すなわち、同（ａ）の対応する端部５ａは、上記した通し穴３０ａを下開口から掛け止め部３０ｂの上へ導かれた後、該掛け止め部３０ｂと同図の部分２９ａとの間の隙間に入れられ、該部分２９の下側に導出されて、その導出した部分を縫製６により同紐部分に重合したものである。同（ｂ）の対応する端部５ａは、上記した通し穴３０ａを前開口から掛け止め部３０ｂの下に導かれた後、該掛け止め部３０ｂと同図の部分２９ａを内側に入れるようそのまま外へ導出されて、その導出した部分を縫製６により同紐部分に重合したものである。同（ｃ）の対応する端部５ａは、上記した通し穴３０ａを前開口から掛け止め部３０ｂの下に導かれた後、該掛け止め部３０ｂと同図の部分２９ａとの間に形成された隙間に入れられ、再び通し穴３０ａの前開口から外へ導出されて、その導出した部分を縫製６により同紐部分に重合したものである。このようにこの形態では、色々な紐取付形態が実現され、用途に応じて選択できる利点も有している。なお、各縫製６は、接合手段の一例に過ぎず、溶着や接着、更にはカッター止め等の他の固定手段であっても差し支えない。
【００２３】
（主作動）次に、以上のバックル１の係脱作動について図９と図１０を含めて説明する。図１０は、上記した雄部材３及びストッパー部材４の変形例について図９に対応して示したものである。従って、この説明では、図９の場合を主にして説明する。
【００２４】
以上のバックル１において、まず、雌部材２と雄部材３の連結操作では、雄部材３を雌部材２内に挿入したり雄・雌部材２，３を互いに近づけ密着操作する。すると、係合部３５は、その頂部がストッパー部材４の内部４２（図６参照）に入りつつ、対向する係合部４４を弾性翼片４１の弾変形を伴って乗り越え、該係合部４４に係合される。図９（ａ）はその係合連結状態を示している。上記した弾性当接部分３７ａは、この状態において、対向する当接部４８に非接触状態（又は軽く接触していてもよい）であり、そのバネ力が未だ発現されていない。これは、上記変形例において、図１０（ａ）の如く弾性手段３９の弾性当接部分３９ａがストッパー部材４の側面４０ｅと非接触状態となっていて、バネ力を発現していないことに置き換えられる。
【００２５】
雌部材２と雄部材３の連結を解除する場合は、開口２１に露出されている操作部４７を指等で押し操作する。すると、ストッパー部材４は、枢軸４６を支点とし、弾性翼片４１の弾変形を伴ってその押された方向へ揺動又は回動される。この回動過程では、図９（ｂ）の如く上記した当接部４８が弾性当接部分３７ａを押すため、該弾性当接部分３７ａは溝部３６ａの溝内に逃がされて次第にバネ力を増大する。これは、変形例において、図１０（ｂ）の如く側面４０ａの対応部が弾性当接部分３９ａを押し、該弾性当接部分３９ａが溝部３８の溝内に逃がされてバネ力を増大することに置き換えられる。
【００２６】
そして、前記したバネ力は、係合部３５が係合部４４から係合解除される直前、つまり図９と図１０の各（ｂ）の状態で最大となる。従って、当該係合が解除されると、雄部材３は、図９の弾性当接部分３７ａ（図１０の弾性当接部分３９ａ）の蓄えられたバネ力により、引き抜き方向へ押されるため係合位置から各図の（ｃ）の如く所定距離だけ移動される。このような、雄部材３の移動は、弾性当接部分３７ａ，９ａのバネ力が専ら雄部材３の抜け方向へ作用すること、摺動突起３２ａが前記したガイド溝２６に案内されつつ行われること、等によりスムースな作動となる。従って、この係脱構造では、課題で述べた従来品の様に係合を解除すると同時に両部材２，３を離れる方向に引っ張るという厄介な操作を不要にできること、弾性当接部分３７ａ，９ａが操作部４７を押し操作したときに初めてバネ力を蓄えるため当該部分の初期弾性（バネ力）を長期に維持できること、操作部４７を単一にしたことから図１２のサイドリリースタイプに対し１本の指や手の部分により解除操作できること、等の利点が得られる。
【００２７】
【発明の効果】
以上説明したとおり、本発明のバックルによれば、特に、係合解除時に弾性手段に蓄えられたバネ力を雄部材の抜け力として作用させて、雄部材がその蓄えられたバネ力により係合位置から抜け方向へ移動される。従って、本発明品は、従来品に対し、雄・雌部材が離れる方向の引き力を受けていない態様でも、操作部の押し操作だけで再び係合してしまうという虞を解消でき、弾性手段が雄部材の抜け方向のバネ力を操作部の押し操作時に初めて蓄えるためバネ寿命を長く維持でき、部材数も少なく簡易化して実施できる等の利点を有し、使い勝手改善による商品価値及び信頼性を向上できる。
【図面の簡単な説明】
【図１】  本発明形態のバックルと構成部材の関係を示す概略外観図である。
【図２】  上記バックルの各方向から見た図である。
【図３】  上記バックルの雌部材単品の構成図である。
【図４】  図３と同様に雌部材単品の構成図である。
【図５】  上記バックルの雄部材単品を変形も含めて示す図である。
【図６】  上記バックルのストッパー部材単品を変形も含めて示す図である。
【図７】  上記バックルに各紐端部を取り付けた状態での模式図である。
【図８】  上記バックルに対する紐端部の取付構造例を示す図である。
【図９】  上記バックルの要部作動を示す図である。
【図１０】 上記バックルの変形例の要部作動を示す図である。
【図１１】 従来のバックルの問題を説明するための図である。
【図１２】 従来の他のバックルの問題を説明するための図である。
【符号の説明】
１…バックル、２…雌部材、３…雄部材、
４…ストッパー部材（ストッパー手段）、
２１…開口、２２…内部、２７…軸穴、
３０…外板部、３１…挿入板部、３２…挿入基部、
３３…挿入先端部、３５…係合部、３６，３８…溝部、
３７，３９…弾性手段、３７ａ，３９ａ…弾性当接部分、
４１…弾性翼片、４４…係合部、４７…操作部。
【図１】
0004201464.tif 000002
【図２】
0004201464.tif 000003
【図３】
0004201464.tif 000004
【図４】
0004201464.tif 000005
【図５】
0004201464.tif 000006
【図６】
0004201464.tif 000007
【図７】
0004201464.tif 000008
【図８】
0004201464.tif 000009
【図９】
0004201464.tif 000010
【図１０】
0004201464.tif 000011
【図１１】
0004201464.tif 000012
【図１２】
0004201464.tif 000013